(57)【特許請求の範囲】
【請求項１】
床面に沿って延び、前記床面上に間隔を隔てて二本一対で設置され、先端部に開口を有する中空筒状で側面に開口が形成されたベース脚と、
それぞれの前記ベース脚上に設けられて上方に延び、棚板が装着可能とされた支柱と、
互いに隣接する二本の支柱どうしを連結する連結部材と、
前記ベース脚の前記先端部の開口を塞ぐキャップと、
二本一対の前記ベース脚上に設置されるベース棚と、を備え、
前記キャップは、
前記ベース脚の前記先端部の開口を覆うプレート部と、前記プレート部から延び、前記ベース脚の内部に挿入されるとともに前記ベース脚の前記側面の開口に嵌り込む係止レバーが形成された筒状部とを有し、
前記ベース脚の前記先端部に装着した状態で、前記ベース脚の上面よりも上方に突出し、前記ベース棚の端部を、一対の前記ベース脚が並べられた方向への移動を規制するように係止可能な凸部が前記プレート部に形成され、
前記ベース脚の前記先端部に対し、上下反転して装着が可能であり、前記ベース脚に対し、一端部を上方に位置させた状態では、前記一端部に前記ベース脚の上面よりも上方に前記凸部が突出形成され、他端部を上方に位置させた状態では、前記他端部が、前記ベース脚の上面と略同一面に位置するようになっている
ことを特徴とする物品陳列棚。
【請求項２】
前記キャップの前記凸部は、間隔を有して対をなして設けられており、前記ベース棚の先端部は、対をなす前記凸部の間に差し込まれていることを特徴とする請求項１に記載の物品陳列棚。
【発明の詳細な説明】
【技術分野】
【０００１】
本発明は、店舗等において物品の展示のために設置される物品陳列棚に関する。
【背景技術】
【０００２】
店舗において商品等の物品を展示するための物品陳列棚は、その設置や移動、ディスプレイ方法の変更等を容易に行えるよう、床面上に設置されるベース脚、ベース脚上に立設される支柱、互いに隣接する支柱に係止される棚板等からなる組立式のものが多用されている。
【０００３】
このような陳列棚においては、ベース脚上に、最下段のベース棚を設けることがある。
ベース棚は、支柱に係止するのではなく、ベース脚上に載置される。ベース棚の幅方向（支柱どうしが隣接する方向）への位置決めのため、ベース脚上に爪部材を取り付け、この爪部材にベース棚の両端部に形成された垂下片を係止させることが提案されている（例えば、特許文献１参照。）。
【先行技術文献】
【特許文献】
【０００４】
【特許文献１】特許第４５９４４９０号公報
【発明の概要】
【発明が解決しようとする課題】
【０００５】
しかし、上記特許文献１に示された構成では、ベース脚と爪部材とが別部品であるために、部品点数が増えてコストがかかる。さらに、ベース棚の取り付け時には、ベース脚に形成された取り付け孔に爪部材を取り付ける必要があり、手間がかかる。また、部品点数が多ければ、工場出荷時に、部品の出荷間違い等が起きる可能性が高まる。
【０００６】
また、このような物品陳列棚は、店舗内のレイアウト変更等のため、棚の高さ等の変更を行うことがある。そのような場合、ベース棚と爪部材を一緒に取り外したならば、これらを確実に保管しておく必要がある。その後に再びベース棚を取り付けるときまでに、爪部材を紛失してしまう恐れがあるからである。
【０００７】
そこでなされた本発明は、ベース棚を容易に取り付けることができるとともに、部品点数を減らして部品管理を確実に行うことのできる物品陳列棚を提供することである。
【課題を解決するための手段】
【０００８】
本発明は、上記課題を解決するため、以下の手段を採用する。
すなわち、本発明の物品陳列棚は、床面に沿って延び、前記床面上に間隔を隔てて二本一対で設置され、先端部に開口を有する中空筒状で側面に開口が形成されたベース脚と、それぞれの前記ベース脚上に設けられて上方に延び、棚板が装着可能とされた支柱と、互いに隣接する二本の支柱どうしを連結する連結部材と、前記ベース脚の前記先端部の開口を塞ぐキャップと、二本一対の前記ベース脚上に設置されるベース棚と、を備え、前記キャップは、前記ベース脚の前記先端部の開口を覆うプレート部と、前記プレート部から延び、前記ベース脚の内部に挿入されるとともに前記ベース脚の前記側面の開口に嵌り込む係止レバーが形成された筒状部とを有し、前記ベース脚の前記先端部に装着した状態で、前記ベース脚の上面よりも上方に突出し、前記ベース棚の端部を、一対の前記ベース脚が並べられた方向への移動を規制するように係止可能な凸部が前記プレート部に形成され、前記ベース脚の前記先端部に対し、上下反転して装着が可能であり、前記ベース脚に対し、一端部を上方に位置させた状態では、前記一端部に前記ベース脚の上面よりも上方に前記凸部が突出形成され、他端部を上方に位置させた状態では、前記他端部が、前記ベース脚の上面と略同一面に位置するようになっている  ことを特徴とする。
このような物品陳列棚は、キャップにベース棚が係止可能であるため、キャップ以外にベース棚を係止するための部品を設ける必要が無く、部品点数を減らすことができる。
また、キャップは、ベース脚の先端部に常に装着されているため、紛失してしまう恐れがない。
【０００９】
さらに、ベース棚を装着する場合と、装着しない場合とで、キャップの上下の向きを変えることができる。そして、ベース棚を装着しない場合には、他端部を上方に位置させることによって、この他端部が、ベース脚の上面と略同一面に位置するため、突起物等のない優れた外観を提供することができる。
【００１０】
また、キャップの凸部は、間隔を有して対をなして設けられており、ベース棚の先端部は、対をなす凸部の間に差し込まれているようにすることもできる。
これによって、一対のベース脚が並べられた方向への移動をより確実に規制することができる。
【発明の効果】
【００１１】
本発明によれば、キャップにベース棚が係止可能であるため、キャップ以外にベース棚を係止するための部品を設ける必要が無く、部品点数を減らし低コスト化を図ることができる。また、キャップは常時ベース脚に装着されているものであるため、紛失するおそれもなく、部品管理を確実に行うことができる。さらに、部品点数が少なければ、部品手配等の際に発注間違い等が生じる可能性も低い。
また、ベース棚を取り付ける度に別部品を用意する必要が無いことから、ベース棚を容易に取り付けることができる
【図面の簡単な説明】
【００１２】
【図１】本実施形態に係る物品陳列棚の外観を示す斜視図である。
【図２】下部連結部材を示す正面図である。
【図３】上部連結部材を示す正面図である。
【図４】物品陳列棚のベース脚およびキックプレートを示す斜視図である。
【図５】ベース脚およびキックプレートの斜視図である。
【図６】キャップの平面図および正面図である。
【図７】キャップの取り付けパターンを示す図である。
【図８】ベース棚を取り付けた状態を示す斜視図である。
【図９】ベース棚を取り付けた状態を示す拡大斜視図である。
【発明を実施するための形態】
【００１３】
以下、添付図面を参照して、本発明による物品陳列棚を実施するための最良の形態を説明する。しかし、本発明はこれらの実施例のみに限定されるものではない。
図１に示すように、物品陳列棚１０は、床面に沿って延び、床面上に間隔を隔てて互いに平行に設置される二本一対のベース脚１１と、各ベース脚１１上に設けられて上方に延び、棚板が装着可能とされた二本一対の支柱１２、１２と、互いに隣接する二本の支柱１２、１２の下部どうしを互いに連結する下部連結材（連結部材）１３と、互いに隣接する二本の支柱１２、１２の上部どうしを互いに連結する上部連結材（連結部材）１４と、を備えている。
【００１４】
ベース脚１１は、床面に沿って延びる断面矩形の中空筒状で、その下面１１ａに床面に接地するパッド１５を備えている。
【００１５】
支柱１２は、断面矩形の中空筒状で、その前後面１２ｆ、１２ｒに、棚板等を係止するため、長手方向に所定の間隔をあけて略矩形状の係止孔１６が複数貫通形成されている。ここで、係止孔１６は、支柱の前後面１２ｆ、１２ｒの幅方向に２列に形成されている。これは、支柱１２の幅方向両側に棚板等のオプション部材が係止できるようにするためである。
また、支柱１２は、その両側面１２ａ、１２ｂに、下部連結材１３、上部連結材１４等を係止するため、長手方向に所定の間隔をあけて略矩形状の係止孔１７Ａやスリット１７Ｂが複数貫通形成されている。
【００１６】
図２に示すように、下部連結材１３は、断面矩形の中空筒状をなした連結バー１８と、連結バー１８の両端部に設けられた係止金具１９と、が一体に設けられている。
係止金具１９は、連結バー１８の少なくとも両側面に溶接されたプレート１９ａ，１９ａと、プレート１９ａ、１９ａに突出形成された係止フック１９ｂ、１９ｂと、後述する最下段のベース棚６０の後端部を係止する係止爪１９ｃ、１９ｃと、を有する。
そして、下部連結材１３は、両端に突出形成された係止フック１９ｂ、１９ｂを両側の支柱１２、１２の係止孔１７Ａ、１７Ａに係止させることにより、両側の支柱１２、１２をその下部どうしにおいて互いに連結する。
【００１７】
図３に示すように、上部連結材１４は、断面矩形の筒状をなした連結バー２０と、連結バー２０の両端部に設けられた係止金具２１と、が一体に設けられている。
係止金具２１は、連結バー２０の少なくとも両側面に溶接されたプレート２１ａ，２１ａと、プレート２１ａ、２１ａに突出形成された係止フック２１ｂ、２１ｂと、を有する。そして、上部連結材１４は、両端に突出形成された係止フック２１ｂ、２１ｂを両側の支柱１２、１２のスリット１７Ｂ、１７Ｂに係止させることにより、両側の支柱１２、１２をその上部どうしにおいて互いに連結する。
【００１８】
さて、図４（ａ）、（ｂ）に示すように、このような物品陳列棚１０において、互いに隣接する二本のベース脚１１、１１の先端部１１ｓ、１１ｓ間には、キックプレート３０を架け渡たすことができる。なお、このキックプレート３０は、必須の構成ではない。
ここで、キックプレート３０は、ベース脚１１、１１間に設置した状態で、ベース脚１１、１１の上面１１ｂと略同一面をなす上面部３１と、ベース脚１１、１１の下面１１ａと略同一面をなす下面部３２と、上面部３１および下面部３２の間に形成され、床面に直交する前面部３３とからなる断面略Ｃ字状とされている。
【００１９】
図５に示すように、キックプレート３０の両端部には、キックプレート３０をベース脚１１、１１に係止させるための係止フック３４がそれぞれ形成されている。
係止フック３４は、前面部３３に連続して、前面部３３の両側の端部３３ａよりもキックプレート３０の長手方向に突出するプレート部３４ａと、プレート部３４ａの先端部から直交して下方に延びて形成された係止爪３４ｂとからなる。
【００２０】
さて、キックプレート３０の係止フック３４が係止された各ベース脚１１の先端部１１ｓには、先端部１１ｓの開口を塞ぐキャップ４０を装着することができる。図６に示すように、このキャップ４０は、ベース脚１１を断面視したときの外形寸法とほぼ同寸法に形成されたプレート部４１と、このプレート部４１からその表面に直交する方向に延び、ベース脚１１の内部に挿入される筒状部４２と、が一体に形成された構成を有している。これにより、プレート部４１は、筒状部４２よりも外周側に張り出して形成されている。
【００２１】
プレート部４１において、筒状部４２が形成された側には、例えば上下に、ベース脚１１の先端部１１ｓに突き当たる突起４３が形成されている。これにより、キャップ４０は、ベース脚１１に筒状部４２を嵌合させたときに、突起４３，４３がベース脚１１の先端部１１ｓに突き当たることで、ベース脚１１への挿入寸法が規制される。また、突起４３，４３がベース脚１１の先端部１１ｓに突き当たった状態では、筒状部４２のベース脚１１側の端部が、ベース脚１１の先端部１１ｓとプレート部４１との隙間から露出する。
【００２２】
筒状部４２は、プレート部４１の表面に直交する方向に延出し、その基端部側のプレート部４１に近接する位置には、キャップ４０をベース脚１１に装着したときにこのベース脚１１と対をなす他方のベース脚１１に対面する側の側面４２ａ、４２ａに、スリット５０が形成されている。つまり、このスリット５０は、プレート部４１と筒状部４２との間に設けられている。
このスリット５０は、筒状部４２において、ベース脚１１に装着したときに上下を向く面４２ｃ、４２ｄ側が開放端５０ｅとされ、ベース脚１１に装着した状態での上下方向に沿って、一定長連続して形成されている。このスリット５０は、キャップ４０をベース脚１１に装着した状態で、上方にも開口するよう形成されている。
また、筒状部４２の先端部側には、片持ち状に延びる係止レバー４４が形成されている。この係止レバー４４は、ベース脚１１の側面に形成された開口１１ｃに嵌り込むことで、キャップ４０の抜け止めとして機能する。
【００２３】
そして、このようなキャップ４０は、突起４３がベース脚１１の先端部１１ｓに突き当たるまで、筒状部４２がベース脚１１の先端部の内部空間に挿入される。この状態で、ベース脚１１の先端部１１ｓとプレート部４１との間に、スリット５０が露出するようになっている。
そして、このスリット５０に、係止フック３４が係止されることで、キックプレート３０がベース脚１１，１１に連結される。
【００２４】
また、図７に示すように、このキャップ４０は、ベース脚１１に対し、上下を反転させた、プレート部４１の一端部４１ａを上方に位置させた状態と、他端部４１ｂを上方に位置させた状態とで、それぞれ装着可能となっている。
そして、図７（ａ）に示すように、プレート部４１の一端部４１ａを上方に位置させてベース脚１１の先端部１１ｓに装着した状態では、この一端部４１ａに、ベース脚１１の上面１１ｂよりも上方に延びる一対の爪部材（凸部）４５，４５が突出形成されている。
また、図７（ｂ）に示すように、プレート部４１の他端部４１ｂを上方に位置させてベース脚１１の先端部１１ｓに装着した状態では、他端部４１ｂが、ベース脚１１の上面１１ｂと略同一面に位置するようになっている。
【００２５】
このような物品陳列棚１０においては、ベース脚１１，１１上に、最下段のベース棚６０を、以下に示すような構成により装着可能となっている。
すなわち、ベース棚６０を設置する場合、キャップ４０は、爪部材４５、４５が形成された一端部４１ａを上方に向けた状態でベース脚１１に装着する。そして、図８、図９に示すように、爪部材４５、４５の間に、ベース棚６０の両側の端板６０ａを差し込む。一本のベース脚１１の両側にそれぞれベース棚６０を設ける場合、一方の側のベース棚６０の端板６０ａと、他方の側のベース棚６０の端板６０ａとが、同じ爪部材４５，４５の間に差し込まれるようになっている。これにより、ベース棚６０は、幅方向（隣り合う支柱１２，１２どうしが並ぶ方向）に固定される。
また、ベース棚６０は、後端部の端板（図示無し）が、下部連結部材１３に形成された係止爪１９ｃに挿入されることで、前後方向（水平面内で隣り合う支柱１２，１２どうしが並ぶ方向に直交する方向）に固定される。
【００２６】
ベース棚６０を設置しない場合には、プレート部４１の他端部４１ｂを上方に位置させ、他端部４１ｂを、ベース脚１１の上面１１ｂと略同一面に位置するようになっている。
【００２７】
上述したような構成によれば、キャップ４０に、ベース棚６０の端板６０ａが差し込まれる爪部材４５、４５を設けることで、ベース棚６０を幅方向に固定することができる。キャップ４０は、一般に、ベース脚１１の先端部１１ｓを塞いで美観を高めるために常時用いられているものである。これにより、ベース棚６０の固定のために、別途部品を設ける必要が無く、キャップ４０に、ベース棚６０の固定機能を兼ね備えることができる。したがって、物品陳列棚１０の部品点数を減じて低コスト化を図ることができる。さらに、部品点数が減れば、部品の紛失やメーカや販売店からの部品発送時に部品発注ミスなどを防ぐことができる。
【００２８】
さらに、キャップ４０は、ベース棚６０を固定する場合と、ベース棚６０を用いない場合とで、上下を反転させてベース脚１１の先端部１１ｓに取り付ければ、キャップ４０を兼用することができる。これによっても部品点数が減り、上記と同様の効果が得られる。
【００２９】
（その他の実施形態）
なお、本発明の物品陳列棚は、図面を参照して説明した上述の各実施形態に限定されるものではなく、その技術的範囲において様々な変形例が考えられる。
例えば、スリット５０をキャップ４０の側面に形成するようにし、このスリット５０にキックプレート３０を係止させる構成としたが、これに限るものではなく、キックプレート３０は、ベース脚１１の側面や上面に係止するようにしても良い。
また、キャップ４０のプレート部４１の一端部４１ａに爪部材４５，４５が形成され、他端部４１ｂは爪部材４５，４５を有さないようにし、ベース棚６０の有無に応じて、キャップ４０の上下を入れ替え可能とするようにしたが、これに限るものではない。
【００３０】
例えば、支柱１２には、棚板に限らず、他の様々なオプション部品を装着することができる。
また、上記実施形態では、物品陳列棚１０は、二本の支柱１２，１２のみを備える構成としたが、三本以上の支柱１２を併設し、互いに隣接する二本の支柱１２、１２間を下部連結材１３、上部連結材１４で連結して棚板を設けるようにしても良い。
これ以外にも、本発明の主旨を逸脱しない限り、上記実施の形態で挙げた構成を取捨選択したり、他の構成に適宜変更することが可能である。
【符号の説明】
【００３１】
１０  物品陳列棚
１１  ベース脚
１１ｓ      先端部
１２  支柱
１３  下部連結材（連結部材）
１４  上部連結材（連結部材）
３０  キックプレート
３１  上面部
３２  下面部
３３  前面部
３４  係止フック
４０  キャップ
４１  プレート部
４２  筒状部
４３  突起
４４  係止レバー
４５  爪部材（凸部）
５０  スリット
６０  ベース棚
【図１】
0006031237.tif 000002
【図２】
0006031237.tif 000003
【図３】
0006031237.tif 000004
【図４】
0006031237.tif 000005
【図５】
0006031237.tif 000006
【図６】
0006031237.tif 000007
【図７】
0006031237.tif 000008
【図８】
0006031237.tif 000009
【図９】
0006031237.tif 000010